【手続補正書】
【提出日】平成17年6月14日(2005.6.14)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】
被写体を撮像する撮像手段と、
上記撮像手段で得られた撮像画像データを、複数のエリアに分割するエリア分割手段と、
上記エリア分割手段で得られた分割エリアごとに、所定の条件に基づいた符号量で符号化する符号化手段とを有することを特徴とする画像処理装置。
【請求項２】
被写体を撮像する撮像手段と、
上記撮像手段で得られた撮像画像データを、複数のエリアに分割するエリア分割手段と、
上記エリア分割手段で得られた分割エリアごとに、所定の条件に基づいた符号量で符号化する符号化手段と、
上記符号化手段で符号化された撮像画像データを、所定の復号量で復号化する復号化手段とを有することを特徴とする画像処理装置。
【請求項３】
上記エリア分割手段は、上記撮像画像データを、高解像度で記録及び／又は再生するための高解像度エリアと低解像度で記録及び／又は再生するための低解像度エリアに分割し、
上記符号化手段は、上記高解像度エリア又は上記低解像度エリアごとに設定された所定の符号量で符号化することを特徴とする請求項１又は２記載の画像処理装置。
【請求項４】
上記高解像度エリアは、第１のアスペクト比を有する第１のエリアと、第２のアスペクト比を有する第２のエリアとの共通エリアであり、上記低解像度エリアは、上記共通エリアに対する非共通エリアであることを特徴とする請求項３記載の画像処理装置。
【請求項５】
上記エリア分割手段は、上記撮像画像データを画像印刷手段で印刷するための印刷エリアと、上記撮像画像データを出力手段に表示するための出力表示エリアに分割し、
上記符号化手段は、上記印刷エリア又は上記出力表示エリアごとに設定された所定の符号量で符号化することを特徴とする請求項１又は２記載の画像処理装置。
【請求項６】
上記符号化手段は、上記印刷エリアを、上記出力表示エリアよりも高解像度に符号化することを特徴とする請求項５記載の画像処理装置。
【請求項７】
上記符号化手段は、離散ウエーブレット変換係数を符号列化する係数符号化手段を含み、
上記係数符号化手段は、符号列の一部を所定ビット量シフトすることにより、上記符号量に差を有する符号列を生成することを特徴とする請求項１又は２記載の画像処理装置。
【請求項８】
上記符号化手段は、離散ウエーブレット変換の係数を符号化する係数符号化手段を含み、
上記係数符号化手段は、上記エリア分割手段で得られた分割エリアごとに、複数の離散ウエーブレット変換係数群を生成し、当該変換係数群ごとに所定の符号量で符号化することを特徴とする請求項１又は２記載の画像処理装置。
【請求項９】
上記復号化手段は、離散ウエーブレット変換の係数を復号列化する係数復号化手段を含み、
上記係数復号化手段は、上記符号化手段で得られた符号列の一部を所定ビット量シフトダウンすることにより、上記復号量に差を有する復号列を生成することを特徴とする請求項２記載の画像処理装置。
【請求項１０】
上記復号化手段は、離散ウエーブレット変換の係数を復号化する係数復号化手段を含み、
上記係数復号化手段は、上記符号化手段で得られた離散ウエーブレット変換係数群に応じた復号量で復号化することを特徴とする請求項２記載の画像処理装置。
【請求項１１】
被写体を撮像する撮像手段と、
上記撮像手段で得られる撮像画像の解像度を設定する解像度設定手段と、
上記解像度設定手段で設定した上記解像度を前記撮像手段の動作状態に応じて変更する解像度変更手段と、
上記解像度設定手段又は上記解像度変更手段で設定した上記解像度で、上記被写体の撮像画像データを生成する画像情報生成手段とを有することを特徴とする画像処理装置。
【請求項１２】
上記解像度変更手段は、ズーム変更操作による上記被写体領域の変化に基づき、上記解像度を変更することを特徴とする請求項１１記載の画像処理装置。
【請求項１３】
上記被写体までの距離を計測する測距手段を有し、
上記解像度変更手段は、上記測距手段で得られた測距結果に基づき、上記解像度を変更することを特徴とする請求項１１記載の画像処理装置。
【請求項１４】
上記画像情報生成手段で得られた上記撮像画像データを画像加工する画像加工手段を有し、
上記画像加工手段は、上記撮像画像データの解像度に応じた画像加工を行うことを特徴とする請求項１１記載の画像処理装置。
【請求項１５】
上記画像加工手段は、上記撮像画像データの一部を抽出する第１の画像加工手段、又は上記第1の画像加工手段で得られた加工画像データの一部を抽出する第２の画像加工手段の少なくとも何れかを含むことを特徴とする請求項１４記載の画像処理装置。
【請求項１６】
上記画像情報生成手段は、上記解像度設定手段又は上記解像度変更手段で設定した上記解像度により、上記撮像画像データを符号化及び復号化の少なくとも何れかをする手段を含むことを特徴とする請求項１１記載の画像処理装置。
【請求項１７】
被写体を撮像する撮像ステップと、
上記撮像ステップで得られた撮像画像データを、複数のエリアに分割するエリア分割ステップと、
上記エリア分割ステップで得られた分割エリアごとに、所定の条件に基づいた符号量で符号化する符号化ステップとを含むことを特徴とする画像処理方法。
【請求項１８】
被写体を撮像する撮像ステップと、
上記撮像ステップで得られた撮像画像データを、複数のエリアに分割するエリア分割ステップと、
上記エリア分割ステップで得られた分割エリアごとに、所定の条件に基づいた符号量で符号化する符号化ステップと、
上記符号化ステップで符号化された撮像画像データを、所定の復号量で復号化する復号化ステップとを含むことを特徴とする画像処理方法。
【請求項１９】
被写体を撮像する撮像ステップと、
上記撮像ステップで得られる撮像画像の解像度を設定する解像度設定ステップと、
上記解像度設定ステップで設定した上記解像度を変更する解像度変更ステップと、
上記解像度設定ステップ又は上記解像度変更ステップで設定した上記解像度で、上記被写体の撮像画像データを生成する画像情報生成ステップとを含むことを特徴とする画像処理方法。
【手続補正３】
【補正対象書類名】明細書
【補正対象項目名】０００１
【補正方法】変更
【補正の内容】
【０００１】
【発明の属する技術分野】
本発明は、例えば、撮像素子により取得した撮像画像情報を処理して記録媒体に記録する装置或いはシステムに用いられる、画像処理装置及び画像処理方法に関するものである。
【手続補正４】
【補正対象書類名】明細書
【補正対象項目名】００２８
【補正方法】削除
【補正の内容】
【手続補正５】
【補正対象書類名】明細書
【補正対象項目名】００３０
【補正方法】変更
【補正の内容】
【００３０】
また、本発明は、被写体を撮像する撮像手段と、上記撮像手段で得られる撮像画像の解像度を設定する解像度設定手段と、上記解像度設定手段で設定した上記解像度を前記撮像手段の動作状態に応じて変更する解像度変更手段と、上記解像度設定手段又は上記解像度変更手段で設定した上記解像度で、上記被写体の撮像画像データを生成する画像情報生成手段とを有することを特徴とする。
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】